(57)【要約】      （修正有）【課題】新しいランプに交換する際に無線リモートコントロール装置をも同時に交換して再設定する必要がない、無線リモートコントロールランプを提供する。【解決手段】無線リモートコントロールランプ５は、ランプ５０及び無線モジュール１０を含む。ランプは、ランプハウジング５１、電気接続コネクタ５２及び回路基板５３を含む。回路基板には、複数の発光モジュール５３２及びマイクロプロセッサユニット５３１が設けられている。無線モジュールは、無線受信ユニットを含む。無線受信ユニット及び複数の発光モジュールは、マイクロプロセッサユニットに電気的に接続される。マイクロプロセッサユニットは、無線受信ユニットが受信した信号に基づいて、発光モジュールをトリガするか否かを判断する。無線モジュールが取り外し可能に挿設されるため、新しいランプに交換する際に、リモートコントローラと無線モジュールを再設定する必要がない。【選択図】図２
0003191461.tif 000002
【実用新案登録請求の範囲】
【請求項１】
リモートコントローラによってリモートコントロールされる無線リモートコントロールランプであって、
開口端を有するランプハウジングと、前記ランプハウジングの前記開口端に設けられる電気接続コネクタと、前記ランプハウジング内に設けられると共に前記電気接続コネクタに電気的に接続されており、複数の発光モジュール及びマイクロプロセッサユニットが設けられている回路基板と、を含むランプと、
無線受信ユニットを含み、前記ランプに取り外し可能に挿設されると共に前記回路基板に電気的に接続される無線モジュールと、
を含み、
前記無線受信ユニットは前記マイクロプロセッサユニットに電気的に接続され、
前記複数の発光モジュールは前記マイクロプロセッサユニットに電気的に接続され、
前記マイクロプロセッサユニットは前記無線受信ユニットが受信した信号に基づいて、前記発光モジュールをトリガするか否かを判断することを特徴とする無線リモートコントロールランプ。
【請求項２】
前記電気接続コネクタには貫通孔が設けられ、
前記無線モジュールは前記貫通孔を介して前記電気接続コネクタに取り外し可能に挿設され、その一端が前記回路基板に電気的に接続されることを特徴とする請求項１に記載の無線リモートコントロールランプ。
【請求項３】
前記無線モジュールは前記マイクロプロセッサユニットに電気的に接続される無線送信ユニットを更に含み、
前記マイクロプロセッサユニットは前記発光モジュールが導通するか否かに基づいて、前記リモートコントローラに信号を送信するように前記無線送信ユニットをトリガすることを特徴とする請求項２に記載の無線リモートコントロールランプ。
【請求項４】
リモートコントローラによってリモートコントロールされる無線リモートコントロールランプであって、
開口端を有するランプハウジングと、前記ランプハウジングの前記開口端に設けられる電気接続コネクタと、前記ランプハウジング内に設けられると共に前記電気接続コネクタに電気的に接続されており、複数の発光モジュールが設けられている回路基板と、を含むランプと、
マイクロプロセッサユニットと、前記マイクロプロセッサユニットに電気的に接続される無線受信ユニットと、を含み、前記ランプに取り外し可能に挿設されると共に前記回路基板に電気的に接続される無線モジュールと、
を含み、
前記複数の発光モジュールは前記マイクロプロセッサユニットに電気的に接続され、
前記マイクロプロセッサユニットは前記無線受信ユニットが受信した信号に基づいて、前記発光モジュールをトリガするか否かを判断することを特徴とする無線リモートコントロールランプ。
【請求項５】
前記電気接続コネクタには貫通孔が設けられ、
前記無線モジュールは前記貫通孔を介して前記電気接続コネクタに取り外し可能に挿設され、その一端が前記回路基板に電気的に接続されることを特徴とする請求項４に記載の無線リモートコントロールランプ。
【請求項６】
前記無線モジュールは前記マイクロプロセッサユニットに電気的に接続される無線送信ユニットを更に含み、
前記マイクロプロセッサユニットは前記発光モジュールが導通するか否かに基づいて、前記リモートコントローラに信号を送信するように前記無線送信ユニットをトリガすることを特徴とする請求項５に記載の無線リモートコントロールランプ。
【請求項７】
少なくとも１つのランプをリモートコントロールするための無線リモートコントロールアセンブリであって、
前記ランプに電気的に接続される無線受信ユニットを含み、前記ランプに取り外し可能に挿設される少なくとも１つの無線モジュールと、
ケーシング、マイクロプロセッサユニット、少なくとも１つの切り替えキー及び無線送信ユニットを含み、前記マイクロプロセッサユニット及び前記無線送信ユニットが前記ケーシング内に設けられ、前記切り替えキーが前記ケーシングに設けられ、前記無線送信ユニット及び前記切り替えキーがそれぞれ前記マイクロプロセッサユニットに電気的に接続される、リモートコントローラと、
を含み、
前記無線受信ユニットは前記無線送信ユニットの信号を受信することを特徴とする無線リモートコントロールアセンブリ。
【請求項８】
前記リモートコントローラは、前記ケーシングに設けられると共に前記マイクロプロセッサユニットに電気的に接続されるスイッチを更に含み、
前記リモートコントローラの前記マイクロプロセッサユニットは前記スイッチの操作に基づいて前記無線送信ユニットをトリガすることを特徴とする請求項７に記載の無線リモートコントロールアセンブリ。
【請求項９】
前記リモートコントローラは、前記ケーシングに設けられると共に前記マイクロプロセッサユニットに電気的に接続される調整キーを含み、
前記リモートコントローラの前記マイクロプロセッサユニットは前記調整キーの操作に基づいて前記無線送信ユニットをトリガすることを特徴とする請求項７に記載の無線リモートコントロールアセンブリ。
【請求項１０】
前記無線モジュールは無線送信ユニットを更に含み、
前記リモートコントローラは、前記リモートコントローラの前記マイクロプロセッサユニットに電気的に接続されると共に前記無線送信ユニットが発した信号を受信する無線受信ユニットを更に含むことを特徴とする請求項７に記載の無線リモートコントロールアセンブリ。
【請求項１１】
各前記切り替えキーはそれぞれ少なくとも１つの前記無線モジュールに対応し、
前記マイクロプロセッサユニットは、前記切り替えキーの操作に基づいて、前記無線送信ユニットが信号を発するように対応する前記無線モジュールをトリガすることを特徴とする請求項７に記載の無線リモートコントロールアセンブリ。
【請求項１２】
前記リモートコントローラは携帯電話であることを特徴とする請求項７に記載の無線リモートコントロールアセンブリ。
【請求項１３】
無線受信ユニットと無線送信ユニットとを含む本体を更に含み、前記リモートコントローラの前記無線送信ユニットによって前記本体の前記無線受信ユニットに信号が伝送され、前記本体の前記無線送信ユニットによって前記無線モジュールの前記無線受信ユニットに前記信号が伝送されることを特徴とする請求項７に記載の無線リモートコントロールアセンブリ。
【請求項１４】
前記無線モジュールはマイクロプロセッサユニットを更に含み、前記無線モジュールの前記無線受信ユニット及び前記無線送信ユニットがそれぞれ前記無線モジュールの前記マイクロプロセッサユニットに電気的に接続され、前記無線モジュールの前記マイクロプロセッサユニットが前記ランプに電気的に接続されることを特徴とする請求項７に記載の無線リモートコントロールアセンブリ。
【考案の詳細な説明】
【技術分野】
【０００１】
本考案は、無線リモートコントロール装置に関し、特にランプに適用される無線リモートコントロール装置に関する。
【背景技術】
【０００２】
室内設計において、好ましい照明を提供できるようにランプを適切な位置に取り付けることは重要なことである。しかしながら、ランプの配線は極めて複雑であり、ランプは、電力供給源と電気的に接続されるように電線を利用しなければならないだけでなく、スイッチにも電気的に接続されるように電線を利用しなければならない。従って、ランプの配線は複雑且つ面倒なものとなっている。
【０００３】
前述した問題を解決するために、現在、業界では無線リモートコントロールの装置をランプの回路基板に結合している。無線リモートコントロール装置は、対応するリモートコントローラとの間で周波数を設定することにより、初めて使用することが可能となる。しかしながら、使用者がランプを交換しようとする場合、使用者はランプ全体を取り外して、新しいランプを装着しなければならず、また、無線リモートコントロール装置がランプ内に設けられているため、無線リモートコントロール装置も同時に新しいものに交換しなければならない。従って、使用者は、リモートコントローラと新しい無線リモートコントロール装置とについて再設定しなければならない。このような方式では、不便であるだけでなく、環境保護に反するという問題があった。
【０００４】
そこで、上述した欠点を改善するために鋭意研究を行った結果、上述した欠点を合理的且つ効果的に改善する事のできる無線リモートコントロールランプ及び無線リモートコントロールアセンブリを見出し、本考案を完成させるに至った。
【考案の概要】
【考案が解決しようとする課題】
【０００５】
したがって本考案の目的は、新しいランプに交換する際に無線リモートコントロール装置をも同時に交換して再設定しなければならないという問題を解決することのできる、無線リモートコントロールランプ、及びそのランプに使用するに適した無線リモートコントロールアセンブリを提供することにある。
【課題を解決するための手段】
【０００６】
本考案は、リモートコントローラによってリモートコントロールされる無線リモートコントロールランプを提供する。本考案に係る無線リモートコントロールランプは、ランプ及び無線モジュールを含む。ランプは、ランプハウジング、電気接続コネクタ及び回路基板を含む。ランプハウジングは開口端を有する。電気接続コネクタはランプハウジングの開口端に設けられる。回路基板は、ランプハウジング内に設けられ、電気接続コネクタに電気的に接続される。回路基板には、複数の発光モジュール及びマイクロプロセッサユニットが設けられている。無線モジュールは、無線受信ユニットを含む。無線モジュールは、ランプに取り外し可能に挿設される。無線受信ユニットは、回路基板に電気的に接続される。無線受信ユニットは、マイクロプロセッサユニットに電気的に接続される。複数の発光モジュールは、マイクロプロセッサユニットに電気的に接続される。マイクロプロセッサユニットは、無線受信ユニットが受信した信号に基づいて、発光モジュールをトリガするか否かを判断する。
【０００７】
本考案は、マイクロプロセッサユニットが設けられている少なくとも１つのランプをリモートコントロールするのに用いられる、無線リモートコントロールアセンブリを更に提供する。本考案に係る無線リモートコントロールアセンブリは、少なくとも１つの無線モジュール及びリモートコントローラを含む。無線モジュールは、無線受信ユニットを含む。無線モジュールは、ランプに取り外し可能に挿設される。無線受信ユニットは、ランプのマイクロプロセッサユニットに電気的に接続される。リモートコントローラは、ケーシング、マイクロプロセッサユニット、少なくとも１つの切り替えキー及び無線送信ユニットを含む。マイクロプロセッサユニット及び無線送信ユニットは、ケーシング内に設けられる。切り替えキーは、ケーシングに設けられる。無線送信ユニット及び切り替えキーは、それぞれマイクロプロセッサユニットに電気的に接続される。無線受信ユニットは、無線送信ユニットの信号を受信する。
【考案の効果】
【０００８】
本考案に係る無線ランプは、無線モジュールがランプに取り外し可能に挿設されることを利用して、使用者がランプを交換しようとする場合、無線モジュールを抜き取ると共に新しいランプに交換するだけでよく、リモートコントローラと無線モジュールとについて再設定する必要がないという効果を奏する。
【図面の簡単な説明】
【０００９】
【図１】本考案に係る無線リモートコントロールアセンブリの作動を示す図である。
【図２】本考案に係る無線リモートコントロールランプの分解図である。
【図３】本考案に係る無線リモートコントロールランプの断面図である。
【図４】本考案に係る無線リモートコントロールアセンブリの機能ブロック図である。
【図５】本考案に係る無線リモートコントロールアセンブリの他の実施例における機能ブロック図である。
【考案を実施するための形態】
【００１０】
以下に本考案を、図面を参照しながら詳細に説明するが、本考案はこれらによって限定されるものではなく、当業者がこれらの記載に基づいて容易に行うことができる設計変更も、本考案に含まれるものと解すべきである。
【００１１】
図１及び図２に示すように、本考案に係る無線リモートコントロールアセンブリ１は、少なくとも１つのランプ５０をリモートコントロールするのに用いられる。無線リモートコントロールアセンブリ１は、少なくとも１つの無線モジュール１０及びリモートコントローラ２０を含む。無線モジュール１０の数はリモートコントロールしようとするランプ５０の数と同じである。無線モジュール１０は、複数のランプ５０のうちの、それぞれ１つのランプ５０に取り外し可能に設けられる。無線モジュール１０とランプ５０との結合によって無線リモートコントロールランプ５が形成される。実際の操作において、無線モジュール１０の数は、使用者が所要の無線モジュール１０を自ら選択してランプ５０に装着できるように、ランプ５０の数よりも多くてもよい。無線モジュール１０の数は、使用者が一部のランプ５０について無線モジュール１０を装着しないように選択できるように、ランプ５０の数よりも少なくてもよい。
【００１２】
図２及び図３に示すように、以下、先ず無線リモートコントロールランプ５の構造について説明する。前述したように無線リモートコントロールランプ５は、ランプ５０及び無線モジュール１０を含む。ランプ５０は、ランプハウジング５１、電気接続コネクタ５２及び回路基板５３を含む。本考案の実施例において、ランプ５０は、チューブ形式である。従って、ランプハウジング５１は、中空管状の構造であると共に、ランプハウジング５１の両端が開放端となっている。ランプハウジング５１は、透明又は半透明の材質からなる。回路基板５３は、ランプハウジング５１内に設けられる。回路基板５３には、マイクロプロセッサユニット５３１及び複数の発光モジュール５３２が設けられている。マイクロプロセッサユニット５３１は、複数の発光モジュール５３２に電気的に接続される。本考案の実施例において、ランプ５０は、２つの電気接続コネクタ５２を含む。各電気接続コネクタ５２は、電力供給ソケットに挿設されるための２本の電極５２１を含む。２つの電気接続コネクタ５２は、ランプハウジング５１の２つの開放端にそれぞれ設けられると共に、当該２つの開放端を封鎖する。電気接続コネクタ５２は、回路基板５３と電気的に接続される。図３に示すように、回路基板５３及び電気接続コネクタ５２は、電線５３４によって電気的に接続される。回路基板５３及び電気接続コネクタ５２は、機構設計によって相互に接触して電気的接続を達成するようにしてもよい。ランプ５０は、電球形式であってもよく、これに限定されない。本考案の実施例において、発光モジュール５３２はＬＥＤランプである。
【００１３】
一端の電気接続コネクタ５２には、貫通孔５２２が設けられている。これにより、無線モジュール１０は、貫通孔５２２を介して電気接続コネクタ５２に挿設されると共に、貫通孔５２２を介して回路基板５３に電気的に接続され、更にランプ５０のマイクロプロセッサユニット５３１に連結される。無線モジュール１０は、直接回路基板５３に当接してもよい。回路基板５３には、無線モジュール１０が回路基板５３に安定して設けられるように、固定構造５３３が更に設けられてもよい。或いは回路基板５３には、無線モジュール１０が弾性的に当接できるように、金属弾性片が設けられてもよい。貫通孔５２２には、無線モジュール１０が安定して回路基板５３に電気的に接続できると共に、無線モジュール１０の一部が電気接続コネクタ５２の外表面に露出するように、係止構造が設けられてもよい。電気接続コネクタ５２における電極５２１を除く部分は、例えば耐高温プラスチックなどの絶縁材料からなる。
【００１４】
上述した無線モジュール１０が電気接続コネクタ５２に取り外し可能に挿設されるため、使用者は、無線モジュール１０を着脱する際に電気接続コネクタ５２全体を抜き取る必要がなく、直接貫通孔５２２を介して無線モジュール１０を取り付けることができる。このような無線モジュール１０の着脱方式は、便利であり、使用者がランプ５０を交換しようとする場合、使用者は無線モジュール１０を新しいランプ５０に挿設するだけでよく、リモートコントローラ２０と無線モジュール１０の周波数を再設定する必要がない。また、使用者が新しい無線モジュール１０に交換しようとする場合、使用者は無線モジュール１０を交換するだけでよく、ランプ５０全体を交換する必要はない。このような方法は便利であると共に環境保護にも合致するものである。更に、無線モジュール１０がランプ５０に取り外し可能に設けられることを利用することで、使用者は、無線リモートコントロールが可能なランプ５０を必要に応じて選択することができる。また、電気接続コネクタ５２としては、使用者が無線リモートコントロールランプ１０を取り外す際に火傷を負ったり感電したりしないように、非熱伝導性及び非導電性の材質を選択することができる。
【００１５】
本考案の実施例において、無線モジュール１０は、無線受信ユニット１１及び無線送信ユニット１２を含む。無線モジュール１０の形状は、貫通孔５２２に合わせることができる。図２に示すように、無線モジュール１０は、カード形態としてもよい。無線モジュール１０は、円柱形としてもよいが、これに限定されない。本考案の実施例において、回路基板５３のマイクロプロセッサユニット５３１は、無線モジュール１０と共に取り外し交換されるように、無線モジュール１０内に統合されてもよい。
【００１６】
続いて無線リモートコントロールアセンブリ１のリモートコントローラ２０について説明する。リモートコントローラ２０は、ケーシング２１、マイクロプロセッサユニット２２、無線送信ユニット２３、無線受信ユニット２４、少なくとも１つの切り替えキー２５、調整キー２６及びスイッチ２７を含む。無線送信ユニット２３及び無線受信ユニット２４は、それぞれマイクロプロセッサユニット２２と電気的に接続される。マイクロプロセッサユニット２２、無線送信ユニット２３及び無線受信ユニット２４は、共にケーシング２１内に設けられる。切り替えキー２５、調整キー２６及びスイッチ２７は、ケーシング２１に設けられると共に、ケーシング２１の外表面に露出する。切り替えキー２５、調整キー２６及びスイッチ２７は、それぞれマイクロプロセッサユニット２２に電気的に接続される。
【００１７】
以下、本考案に係る無線リモートコントロールアセンブリ１及び無線リモートコントロールランプ５の機能を説明する。図１及び図４に示すように、リモートコントローラ２０のマイクロプロセッサユニット２２は、調整キー２６及びスイッチ２７の操作に基づいて、無線送信ユニット２３が無線モジュール１０の無線受信ユニット１１に信号を発するように、リモートコントローラ２０の無線送信ユニット２３をトリガする。無線モジュール１０の無線受信ユニット１１は、リモートコントローラ２０の無線送信ユニット２３が発した信号を受信すると、受信した信号を無線リモートコントロールランプ５のマイクロプロセッサユニット５３１に伝送する。無線リモートコントロールランプ５のマイクロプロセッサユニット５３１は、前述した信号に基づいて、発光モジュール５３２をトリガするか否かを決定する。無線リモートコントロールランプ５のマイクロプロセッサユニット５３１は更に、前述した信号に基づいて、発光モジュール５３２の輝度を調整することができる。また、無線リモートコントロールランプ５のマイクロプロセッサユニット５３１は更に、電流がスムーズに流れているか否かに基づいて発光モジュール５３２が故障しているか否かを検知することができる。この時、無線リモートコントロールランプ５のマイクロプロセッサユニット５３１は、無線リモートコントロールランプ５の無線送信ユニット１２がリモートコントローラ２０の無線受信ユニット２４に信号を伝送するように、無線送信ユニット１２をトリガすることができる。
【００１８】
本考案の実施例において、無線モジュール１０、リモートコントローラ２０の無線送信ユニット２４及びリモートコントローラ２０の無線受信ユニット２３は、いずれもブルートゥースモジュール（Ｂｌｕｅｔｏｏｔｈ）、Ｚｉｇｂｅｅモジュール又はワイファイ（ＷｉＦｉ）モジュールであってもよい。これは無線信号伝送方式の変換に過ぎないため、これに限定されない。本考案に係る無線モジュール１０はランプ５０内に取り外し可能に設けられるため、使用者が無線信号伝送の方式を交換しようとする場合、例えばブルートゥースモジュールをＺｉｇｂｅｅモジュール交換しよとする場合、使用者は、無線モジュール１０を交換するだけでよく、ランプ５０を変える必要はない。このような方法は使用者が交換するのに便利であると共に環境保護にも合致するものである。
【００１９】
図１に示すように、本考案の実施例において、無線リモートコントロールアセンブリ１は、複数の無線モジュール１０を有してもよい。無線モジュール１０は、グループに分けることができ、グループの数はリモートコントローラ２０の切り替えキー２５の数に対応する。図１に示すように、リモートコントローラ２０には、４つの切り替えキー２５が設けられていると共に、各切り替えキー２５にはそれぞれラベル１〜４が印刷されている。無線リモートコントロールアセンブリ１は、合計１２個の無線モジュール１０を有する。無線モジュール１０は４つのグループに分けられると共に、無線モジュール１０の番号を１ａ〜１ｃ、２ａ〜２ｃ、３ａ〜３ｃ及び４ａ〜４ｃとする。番号が１ａ〜１ｃである無線モジュール１０は、番号が１である切り替えキー２５に対応する。番号が２ａ〜２ｃである無線モジュール１０は、番号が２である切り替えキーに対応する。以下、同様とする。この番号ａ〜ｃの目的は、リモートコントローラ２０のマイクロプロセッサユニット２２が各無線リモートコントロールランプ５の発光状況を検知できるように、無線モジュール１０が無線送信ユニット１２を経由して信号のフィードバックを行うのに資することにある。上述した無線モジュール１０では、使用者が必要に応じて無線モジュール１０の番号を調整できるように、外部からの設定を介して番号を調整することができる。
【００２０】
図１に示すように、使用者が、番号が１である切り替えキー２５を押すと、リモートコントローラ２０のマイクロプロセッサユニット２２によって、無線送信ユニット２３の周波数が、番号が１ａ〜１ｃである無線モジュール１０の周波数と同じになるように調整される。使用者が再度スイッチ２７を押すと、発光モジュール５３２をオン又はオフするように、番号が１ａ〜１ｃである無線モジュール１０によって無線リモートコントロールランプ５のマイクロプロセッサユニット１０に信号が伝送される。使用者が調整キー２６を押すと、番号が１ａ〜１ｃである無線モジュール１０によって無線リモートコントロールランプ５のマイクロプロセッサユニット５３１に信号が伝送されると共に、調整キー２６の操作に基づいて、無線リモートコントロールランプ５のマイクロプロセッサユニット５３１によって発光モジュール５３２に流れる電流が調整され、更に発光モジュール５３２の輝度が調整される。使用者が、番号が２ａ〜２ｃである無線モジュール１０のある無線リモートコントロールランプ５を調整しようとする場合、使用者は、番号が２である切り替えキー２５を押す。また、リモートコントローラ２０のマイクロプロセッサユニット２２には、時間帯を制御する機能が設けられている。即ち、マイクロプロセッサユニット２２は、特定の時間帯に特定の無線リモートコントロールランプ５をオンさせることが可能である。
【００２１】
このように、本考案に係るリモートコントローラ２０は、リモートコントローラ２０が複数セットの無線リモートコントロールランプ５を同時に制御することができるように、一対多数の構成で複数の無線リモートコントロールランプ５に対応することができる。また、信号の制御が無線方式での伝送で行われるため、無線リモートコントロールランプ５は、各セット同士の間の配線を低減することができ、ランプの取り付けが一層簡便となる。
【００２２】
無線モジュール１０が無線送信ユニット１２を含まない場合、無線モジュール１０がリモートコントローラ２０の無線受信ユニット２４に対して、発光モジュール５３２の状況をフィードバックする機能を備えないことを意味する。この時、無線モジュール１０の番号は１〜４のみとなる。このような操作方式によって、電力の消耗を低減することができる。
【００２３】
本考案の実施例において、リモートコントローラ２０は、スマートフォンであってもよく、切り替えキー２５、調整キー２６及びスイッチ２７は、いずれもタッチキーの形式で携帯電話の表示パネルに表示されてもよい。また、そのタッチパネルには、無線リモートコントロールランプ５の作動が正常か否かを表示することができる。更に、携帯電話ソフトウェアプログラムによって無線リモートコントロールランプ５のスイッチイング時間を制御したり、無線リモートコントロールランプ５の各時間帯の輝度を制御したりすることもできる。
【００２４】
図５に示すように、本考案に係るリモートコントローラ２０は、親子機の形態として製作されてもよい。無線リモートコントロールアセンブリ１は、本体３０を更に含む。本体３０は、ケーシング３１内に無線受信ユニット３２、マイクロプロセッサユニット３３、無線送信ユニット３４、少なくとも１つの切り替えキー３５、調整キー３６及びスイッチ３７が設けられている。本体３０の無線受信ユニット３２、無線送信ユニット３４、切り替えキー３５、調整キー３６、スイッチ３７は、いずれもそれぞれ本体３０のマイクロプロセッサユニット３３に電気的に接続される。本体３０の操作方式は、リモートコントローラ２０とほぼ同じである。また、本体３０は、通常ある場所に固定される。例えば本体３０は、壁に固定されたり机の上に置かれたりしてもよい。これにより、使用者は、携帯可能なリモートコントローラ２０又はある場所に固定された本体３０を選択的に使用することで無線リモートコントロールランプ５を制御することができる。
【００２５】
使用者がリモートコントローラ２０の切り替えキー２５、調整キー２６又はスイッチ２７を押すと、リモートコントローラ２０のマイクロプロセッサユニット２２によって、前述したキーを押す操作に基づいて、リモートコントローラ２０の無線送信ユニット２３から本体３０の無線受信ユニット３２に信号が送信される。本体３０の無線受信ユニット３２は、信号を受信した後、本体３０のマイクロプロセッサユニット３３に信号を伝送する。本体３０のマイクロプロセッサユニット３３によって、無線送信ユニット３４が無線リモートコントロールランプ５の無線受信ユニット１１に信号を発する。無線リモートコントロールランプ５が無線送信ユニット１２を介して発した信号は、本体３０の無線受信ユニット３２、マイクロプロセッサユニット３３及び無線送信ユニット３４を介してリモートコントローラ２０の無線受信ユニット２４に伝送される。
【００２６】
無線伝送方式の受信端と送信端は一定の距離内になければならず、本体３０がある場所に固定されるため、本体３０と各無線リモートコントロールランプ５との間の距離は変わらない。リモートコントローラ２０によって本体３０を介して無線リモートコントロールランプ５に信号が伝送されなければならないため、リモートコントローラ２０と本体３０との間の信号伝送できる範囲は容易に判断することができる。リモートコントローラ２０は、各無線リモートコントロールランプ５に直接対応する必要はない。換言すれば、本体３０を設けたことによって、使用者がリモートコントローラ２０を持って遠距離の場所に移動した場合、一部の無線リモートコントロールランプ５がリモートコントローラ２０の信号伝送範囲内にないために、全ての無線リモートコントロールランプ５を精確にリモートコントロールすることができないという問題を回避することが可能である。
【００２７】
このように、本考案に係る無線リモートコントロールアセンブリ及び無線リモートコントロールランプは、少なくとも以下の利点を有する。即ち、無線モジュールがランプに取り外し可能に装着されることを利用して、使用者がランプを交換しようとする場合、無線モジュールを抜き取ると共に新しいランプに交換するだけでよく、使用者はリモートコントローラ及び無線モジュールについて再設定する必要がない。また使用者は交換を要する部分のみ交換することが可能であり、このような方法は環境保護に合致するものである。更に、リモートコントローラが複数の無線モジュールに対応することを利用して、複数セットの無線リモートコントロールランプ同士の間に別途配線を施す必要がないため、ランプを取り付ける際の配線を低減することが可能である。更に、リモートコントローラ及び本体を親子機の形態として組み合わせることによって、リモートコントローラの信号伝送できる範囲が精確となる。
【００２８】
上記は本考案の実施例に過ぎず、本考案に係る実用新案登録請求の範囲を限定するものではない。
【符号の説明】
【００２９】
１  無線リモートコントロールアセンブリ
１０  無線モジュール
１１  無線受信ユニット
１２  無線送信ユニット
２０  リモートコントローラ
２１  ケーシング
２２  マイクロプロセッサユニット
２３  無線送信ユニット
２４  無線受信ユニット
２５  切り替えキー
２６  調整キー
２７  スイッチ
３０  本体
３１  ケーシング
３２  無線受信ユニット
３３  マイクロプロセッサユニット
３４  無線送信ユニット
３５  切り替えキー
３６  調整キー
３７  スイッチ
５  無線リモートコントロールランプ
５０  ランプ
５１  ランプハウジング
５２  電気接続コネクタ
５２１  電極
５２２  貫通孔
５３  回路基板
５３１  マイクロプロセッサユニット
５３２  発光モジュール
５３３  固定構造
５３４  電線
【図１】
0003191461.tif 000003
【図２】
0003191461.tif 000004
【図３】
0003191461.tif 000005
【図４】
0003191461.tif 000006
【図５】
0003191461.tif 000007
【手続補正書】
【提出日】平成26年4月17日(2014.4.17)
【手続補正１】
【補正対象書類名】実用新案登録請求の範囲
【補正対象項目名】全文
【補正方法】変更
【補正の内容】
【実用新案登録請求の範囲】
【請求項１】
リモートコントローラによってリモートコントロールされる無線リモートコントロールランプであって、
開口端を有するランプハウジングと、前記ランプハウジングの前記開口端に設けられる電気接続コネクタと、前記ランプハウジング内に設けられると共に前記電気接続コネクタに電気的に接続されており、複数の発光モジュール及びマイクロプロセッサユニットが設けられている回路基板と、を含むランプと、
無線受信ユニットを含み、前記ランプに取り外し可能に挿設されると共に前記回路基板に電気的に接続される無線モジュールと、
を含み、
前記無線受信ユニットは前記マイクロプロセッサユニットに電気的に接続され、
前記複数の発光モジュールは前記マイクロプロセッサユニットに電気的に接続され、
前記マイクロプロセッサユニットは前記無線受信ユニットが受信した信号に基づいて、前記発光モジュールをトリガするか否かを判断することを特徴とする無線リモートコントロールランプ。
【請求項２】
前記電気接続コネクタには貫通孔が設けられ、
前記無線モジュールは前記貫通孔を介して前記電気接続コネクタに取り外し可能に挿設され、その一端が前記回路基板に電気的に接続されることを特徴とする請求項１に記載の無線リモートコントロールランプ。
【請求項３】
前記無線モジュールは前記マイクロプロセッサユニットに電気的に接続される無線送信ユニットを更に含み、
前記マイクロプロセッサユニットは前記発光モジュールが導通するか否かに基づいて、前記リモートコントローラに信号を送信するように前記無線送信ユニットをトリガすることを特徴とする請求項２に記載の無線リモートコントロールランプ。
【請求項４】
リモートコントローラによってリモートコントロールされる無線リモートコントロールランプであって、
開口端を有するランプハウジングと、前記ランプハウジングの前記開口端に設けられる電気接続コネクタと、前記ランプハウジング内に設けられると共に前記電気接続コネクタに電気的に接続されており、複数の発光モジュールが設けられている回路基板と、を含むランプと、
マイクロプロセッサユニットと、前記マイクロプロセッサユニットに電気的に接続される無線受信ユニットと、を含み、前記ランプに取り外し可能に挿設されると共に前記回路基板に電気的に接続される無線モジュールと、
を含み、
前記複数の発光モジュールは前記マイクロプロセッサユニットに電気的に接続され、
前記マイクロプロセッサユニットは前記無線受信ユニットが受信した信号に基づいて、前記発光モジュールをトリガするか否かを判断することを特徴とする無線リモートコントロールランプ。
【請求項５】
前記電気接続コネクタには貫通孔が設けられ、
前記無線モジュールは前記貫通孔を介して前記電気接続コネクタに取り外し可能に挿設され、その一端が前記回路基板に電気的に接続されることを特徴とする請求項４に記載の無線リモートコントロールランプ。
【請求項６】
前記無線モジュールは前記マイクロプロセッサユニットに電気的に接続される無線送信ユニットを更に含み、
前記マイクロプロセッサユニットは前記発光モジュールが導通するか否かに基づいて、前記リモートコントローラに信号を送信するように前記無線送信ユニットをトリガすることを特徴とする請求項５に記載の無線リモートコントロールランプ。
【請求項７】
少なくとも１つのランプをリモートコントロールするための無線リモートコントロールアセンブリであって、
前記ランプに電気的に接続される無線受信ユニットを含み、前記ランプに取り外し可能に挿設される少なくとも１つの無線モジュールと、
ケーシング、マイクロプロセッサユニット、少なくとも１つの切り替えキー及び無線送信ユニットを含み、前記マイクロプロセッサユニット及び前記無線送信ユニットが前記ケーシング内に設けられ、前記切り替えキーが前記ケーシングに設けられ、前記無線送信ユニット及び前記切り替えキーがそれぞれ前記マイクロプロセッサユニットに電気的に接続される、リモートコントローラと、
を含み、
前記無線受信ユニットは前記無線送信ユニットの信号を受信することを特徴とする無線リモートコントロールアセンブリ。
【請求項８】
前記リモートコントローラは、前記ケーシングに設けられると共に前記マイクロプロセッサユニットに電気的に接続されるスイッチを更に含み、
前記リモートコントローラの前記マイクロプロセッサユニットは前記スイッチの操作に基づいて前記無線送信ユニットをトリガすることを特徴とする請求項７に記載の無線リモートコントロールアセンブリ。
【請求項９】
前記リモートコントローラは、前記ケーシングに設けられると共に前記マイクロプロセッサユニットに電気的に接続される調整キーを含み、
前記リモートコントローラの前記マイクロプロセッサユニットは前記調整キーの操作に基づいて前記無線送信ユニットをトリガすることを特徴とする請求項７に記載の無線リモートコントロールアセンブリ。
【請求項１０】
前記無線モジュールは無線送信ユニットを更に含み、
前記リモートコントローラは、前記リモートコントローラの前記マイクロプロセッサユニットに電気的に接続されると共に前記無線送信ユニットが発した信号を受信する無線受信ユニットを更に含むことを特徴とする請求項７に記載の無線リモートコントロールアセンブリ。
【請求項１１】
各前記切り替えキーはそれぞれ少なくとも１つの前記無線モジュールに対応し、
前記マイクロプロセッサユニットは、前記切り替えキーの操作に基づいて、前記無線送信ユニットが信号を発するように対応する前記無線モジュールをトリガすることを特徴とする請求項７に記載の無線リモートコントロールアセンブリ。
【請求項１２】
前記リモートコントローラは携帯電話であることを特徴とする請求項７に記載の無線リモートコントロールアセンブリ。
【請求項１３】
無線受信ユニットと無線送信ユニットとを含む本体を更に含み、前記リモートコントローラの前記無線送信ユニットによって前記本体の前記無線受信ユニットに信号が伝送され、前記本体の前記無線送信ユニットによって前記無線モジュールの前記無線受信ユニットに前記信号が伝送されることを特徴とする請求項７に記載の無線リモートコントロールアセンブリ。
【請求項１４】
前記無線モジュールはマイクロプロセッサユニットを更に含み、前記無線モジュールの前記無線受信ユニット、及び、前記無線送信ユニットがそれぞれ前記無線モジュールの前記マイクロプロセッサユニットに電気的に接続され、前記無線モジュールの前記マイクロプロセッサユニットが前記ランプに電気的に接続されることを特徴とする請求項７に記載の無線リモートコントロールアセンブリ。
【手続補正２】
【補正対象書類名】明細書
【補正対象項目名】００１８
【補正方法】変更
【補正の内容】
【００１８】
本考案の実施例において、無線モジュール１０、リモートコントローラ２０の無線送信ユニット２４及びリモートコントローラ２０の無線受信ユニット２３は、いずれもブルートゥースモジュール（Ｂｌｕｅｔｏｏｔｈ（登録商標））、Ｚｉｇｂｅｅ（登録商標）モジュール又はワイファイ（ＷｉＦｉ）モジュールであってもよい。これは無線信号伝送方式の変換に過ぎないため、これに限定されない。本考案に係る無線モジュール１０はランプ５０内に取り外し可能に設けられるため、使用者が無線信号伝送の方式を交換しようとする場合、例えばブルートゥースモジュールをＺｉｇｂｅｅ（登録商標）モジュール交換しよとする場合、使用者は、無線モジュール１０を交換するだけでよく、ランプ５０を変える必要はない。このような方法は使用者が交換するのに便利であると共に環境保護にも合致するものである。